(57)【特許請求の範囲】
【請求項１】
信号入力端と信号出力端と接地端とを有すると共に、第一の同調コイルと第一の電圧制御可変容量素子とが並列接続された並列同調回路と、第二の同調コイルと第二の電圧制御可変容量素子とが直列接続された直列同調回路と、選択された受信バンドがローバンドのとき前記第一の同調コイル及び前記第二の同調コイルをそのまま使用し、選択された受信バンドがハイバンドのとき前記第一の同調コイル及び前記第二の同調コイルの一部を短絡して使用するように切り替えるバンド切替手段とを備え、前記直列同調回路はその一端が前記信号入力端に接続されると共にその他端が前記並列同調回路の入力端に接続され、前記並列同調回路はその出力端が前記信号出力端に接続されており、前記第一の電圧制御可変容量素子及び前記第二の電圧制御可変容量素子に同じ選局電圧が供給されて前記並列同調回路及び前記直列同調回路の各同調周波数を同じ周波数に設定されることを特徴とするテレビジョンチューナの入力同調回路。
【請求項２】
前記並列同調回路は、その入力端とその出力端間に直列接続された第一のコイル及び第二のコイルと、その入力端と高周波的接地点との間に直列接続された第三のコイル及び第四のコイルとからなる前記第一の同調コイル、及び、前記出力端と前記高周波的接地点との間に接続された第一のバラクタダイオードからなる第一の電圧制御可変容量素子により構成され、前記直列同調回路は、前記並列同調回路の入力端と前記信号入力端との間に直列接続された第五のコイル、第六のコイルからなる前記第二の同調コイル、及び、第二のバラクタダイオードからなる第二の電圧制御可変容量素子により構成され、前記並列同調回路及び前記直列同調回路は、選択された受信バンドがハイバンドのとき前記バンド切替手段により前記第一のコイルと前記第三のコイル及び前記第五のコイルが高周波的に短絡されることを特徴とする請求項１に記載のテレビジョンチューナの入力同調回路。
【請求項３】
前記バンド切替手段は、前記第一のコイルと前記第二のコイルとの接続点と前記第三のコイルと前記第四のコイルとの接続点との間に第一の直流カットコンデンサを介して接続された第一のスイッチダイオードと、前記第三のコイルと前記第四のコイルとの接続点と前記第五のコイルと前記第六のコイルとの接続点との間に第二の直流カットコンデンサを介して接続された第二のスイッチダイオードと、第一のスイッチダイオード及び第二のスイッチダイオードへのバンド切替電圧供給手段とからなり、前記バンド切替電圧供給手段は、ローバンド信号への切替時に前記第一のスイッチダイオードと前記第二のスイッチダイオードをオフにする極性電圧を供給し、ハイバンド信号への切替時に前記第一のスイッチダイオードと前記第二のスイッチダイオードをオンにする極性電圧を供給することを特徴とする請求項２に記載のテレビジョンチューナの入力同調回路。
【請求項４】
前記第五のコイルのインダクタンスは、前記第一のコイルのインダクタンスと前記第三のコイルのインダクタンスとの和にほぼ等しいものであり、前記第六のコイルのインダクタンスは、前記第二のコイルのインダクタンスと前記第四のコイルのインダクタンスとの和にほぼ等しいものであることを特徴とする請求項２もしくは３のいずれかに記載のテレビジョンチューナの入力同調回路。
【発明の詳細な説明】
【０００１】
【発明の属する技術分野】
本発明はテレビジョンチューナの入力同調回路に関する。
【０００２】
【従来の技術】
従来のテレビジョンチューナの入力同調回路（以下、これを入力同調回路という）を図４に示す。第一のローバンドコイル３１と第二のローバンドコイル３２とは一端同士で接続され、第一のローバンドコイル３１の他端には第一のハイバンドコイル３３の一端が接続される。第一のハイバンドコイル３３の他端には直流カットコンデンサ３４を介して第一のバラクタダイオード３５のカソードが接続され、第一のバラクタダイオード３５のアノードは接地される。
また、第二のローバンドコイル３２の他端には第二のハイバンドコイル３６の一端が接続され、その他端が接地端となって直流カットコンデンサ３７によって接地される。
【０００３】
第一のローバンドコイル３１と第一のハイバンドコイル３３との接続点には第一のスイッチダイオード３８のアノードが接続され、カソードは直流カットコンデンサ４８によって第二のローバンドコイル３２と第二のハイバンドコイル３６との接続点に接続される。
また、第一のローバンドコイル３１と第二のローバンドコイル３２との接続点には第二のスイッチダイオード４０のアノードが接続され、カソードは直流カットコンデンサ４１によって第二のローバンドコイル３２と第二のハイバンドコイル３６との接続点に接続される。
そして、第一のローバンドコイル３１と第二のローバンドコイル３２との接続点が入力端となり、第一のハイバンドコイル３３の他端が出力端となる。
【０００４】
ローバンドのテレビジョン信号を受信するときは、第一の端子４２に印加したハイレベルの切替電圧が給電抵抗４３、４４をそれぞれ介して第一のスイッチダイオード３８のカソードと第二のスイッチダイオード４０のカソードに印加され、第二の端子４５に印加されたローレベルの切替電圧が給電抵抗４６、第二のハイバンドコイル３６等を介して第一のスイッチダイオード３８のアノードと第二のスイッチダイオード４０のアノードとに印加される。すると、第一のスイッチダイオード３８と第二のスイッチダイオード４０が共にオフ状態になって、図５に示す並列同調回路が構成される。
【０００５】
一方、ハイバンドのテレビジョン信号を受信するときは、第一の端子４２に印加したローレベルの切替電圧が給電抵抗４３、４４をそれぞれ介して第一のスイッチダイオード３８のカソードと第二のスイッチダイオード４０のカソードに印加され、第二の端子４５に印加されたハイレベルの切替電圧が給電抵抗４６、第二のハイバンドコイル３６等を介して第一のスイッチダイオード３８のアノードと第二のスイッチダイオード４０のアノードとに印加される。すると、第一のスイッチダイオード３８と第二のスイッチダイオード４０が共にオン状態になって、図６に示す並列同調回路が構成される。
【０００６】
バラクタダイオード３５のカソードには端子４７に印加された同調電圧が給電抵抗４８を介して供給されるので、いずれの並列同調回路の同調周波数も同調電圧によって変えられる。
【０００７】
【発明が解決しようとする課題】
従来の入力同調回路は一つの並列同調回路で構成されていたので、選択度特性が悪く、受信するテレビジョン信号以外のテレビジョン信号を十分抑圧することが出来ず受信妨害が避けられなかった。
入力同調回路を複同調回路で構成することによって選択度特性を高めることも考えられるが、復同調回路ではバンドを切り替えるたの回路が複雑になり、また、一次同等回路と二次同調回路との結合調整が煩雑で実用に供することが困難であった。
【０００８】
そこで、本発明は選択度特性のすぐれたテレビジョンチューナの入力同調回路を簡単な構成で実現することを目的とする。
【０００９】
【課題を解決するための手段】
上記の課題を解決するために、本発明によるテレビジョンチューナの入力同調回路は、信号入力端と信号出力端と接地端とを有すると共に、第一の同調コイルと第一の電圧制御可変容量素子とが並列接続された並列同調回路と、第二の同調コイルと第二の電圧制御可変容量素子とが直列接続された直列同調回路と、選択された受信バンドがローバンドのとき前記第一の同調コイル及び前記第二の同調コイルをそのまま使用し、選択された受信バンドがハイバンドのとき前記第一の同調コイル及び前記第二の同調コイルの一部を短絡して使用するように切り替えるバンド切替手段とを備え、前記直列同調回路はその一端が前記信号入力端に接続されると共にその他端が前記並列同調回路の入力端に接続され、前記並列同調回路はその出力端が前記信号出力端に接続されており、前記第一の電圧制御可変容量素子及び前記第二の電圧制御可変容量素子に同じ選局電圧が供給されて前記並列同調回路及び前記直列同調回路の各同調周波数を同じ周波数に設定されるものである。
【００１０】
また、前記並列同調回路は、その入力端とその出力端間に直列接続された第一のコイル及び第二のコイルと、その入力端と高周波的接地点との間に直列接続された第三のコイル及び第四のコイルとからなる前記第一の同調コイル、及び、前記出力端と前記高周波的接地点との間に接続された第一のバラクタダイオードからなる第一の電圧制御可変容量素子により構成され、前記直列同調回路は、前記並列同調回路の入力端と前記回路入力端との間に直列接続された第五のコイル、第六のコイルからなる前記第二の同調コイル、及び、第二のバラクタダイオード第二の電圧制御可変容量素子により構成され、前記並列同調回路及び前記直列同調回路は、選択された受信バンドがハイバンドのとき前記バンド切替手段により前記第一のコイルと前記第三のコイル及び前記第五のコイルが高周波的に短絡されるものである。
【００１１】
また、前記バンド切替手段は、前記第一のコイルと前記第二のコイルとの接続点と前記第三のコイルと前記第四のコイルとの接続点との間に第一の直流カットコンデンサを介して接続された第一のスイッチダイオードと、前記第三のコイルと前記第四のコイルとの接続点と前記第五のコイルと前記第六のコイルとの接続点との間に第二の直流カットコンデンサを介して接続された第二のスイッチダイオードと、第一のスイッチダイオード及び第二のスイッチダイオードへのバンド切替電圧供給手段とからなり、前記バンド切替電圧供給手段は、ローバンド信号への切替時に前記第一のスイッチダイオードと前記第二のスイッチダイオードをオフにする極性電圧を供給し、ハイバンド信号への切替時に前記第一のスイッチダイオードと前記第二のスイッチダイオードをオンにする極性電圧を供給するものである。
【００１２】
また、前記第五のコイルのインダクタンスは、前記第一のコイルのインダクタンスと前記第三のコイルのインダクタンスとの和にほぼ等しいものであり、前記第六のコイルのインダクタンスは、前記第二のコイルのインダクタンスと前記第四のコイルのインダクタンスとの和にほぼ等しいものである。
【００１３】
【発明の実施の形態】
以下、図面に従って本発明のテレビジョンチューナの入力同調回路を説明すると、図１に示すように並列同調回路１と直列同調回路１１とを有し、先ず、並列同調回路１は、第一のハイバンドコイル（第一のコイル）２ａと第一のローバンドコイル（第二のコイル）２ｂと第二のローバンドコイル（第三のコイル）２ｃと第二のハイバンドコイル（第四のコイル）２ｄとが互いに直列に接続された第一の同調コイル２と、第一の同調コイル２に並列に接続される第一のバラクタダイオード３等によって構成される。
【００１４】
第一のローバンドコイル２ｂと第二のローバンドコイル２ｃとの各一端同士は互いに接続され、第一のローバンドコイル２ｂの他端には第一のハイバンドコイル２ａの一端が接続される。第一のハイバンドコイル２ａの他端には直流カットコンデンサ４を介して第一のバラクタダイオード３のカソードが接続され、第一のバラクタダイオード３のアノードは接地端１ｃとなって直接接地される。
また、第二のローバンドコイル２ｃの他端には第二のハイバンドコイル２ｄの一端が接続され、その他端が接地端１ｃとなって直流カットコンデンサ５によって接地される。
【００１５】
第一のローバンドコイル２ｂの他端（即ち、第一のローバンドコイル２ｂと第一のハイバンドコイル２ａとの接続点）には第一のスイッチダイオード６のアノードが接続され、カソードは直流カットコンデンサ７によって第二のローバンドコイル２ｃの他端（即ち、第二のローバンドコイル２ｃと第二のハイバンドコイル２ｄとの接続点）に接続される。
そして、第一のローバンドコイル２ｂと第二のローバンドコイル２ｃとの接続点が並列同調回路１の入力端１ａとなり、第一のハイバンドコイル２ａの他端が並列同調回路１の出力端（信号出力端）１ｂとなる。
【００１６】
一方、直列同調回路１１は、第一のコイル（第五のコイル）１２と直流カットコンデンサ１３と第二のコイル（第六のコイル）１４と第二のバラクタダイオード１５とを有し、これらは互いに直列に接続され、第一のコイル１２の一端が直列同調回路１１の一端１１ａとなって並列同調回路１の入力端１ａに接続される。そして、第二のバラクタダイオード１５のカソードが直列同調回路１１の他端（信号入力端）１１ｂとなる。
【００１７】
ここで、第一のコイル１２のインダクタンスは、第一のローバンドコイル２ｂのインダクタンスと第二のローバンドコイル２ｃのインダクタンスとの和にほぼ等しく、また、第二のコイル１４のインダクタンスは第一のハイバンドコイル２ａのインダクタンスと第二のハイバンドコイル２ｄのインダクタンスとの和にほぼ等しくなるように設定されている。
【００１８】
また、第一のコイル１２の他端（即ち、第一のコイル１２と直流カットコンデンサ１３との接続点）には第二のスイッチダイオード１６のアノードが接続され、カソードは直流カットコンデンサ１７を介して第二のローバンドコイル２ｃの他端（即ち、第二のローバンドコイル２ｂと第二のハイバンドコイル２ｄとの接続点）に接続される。
第二のバラクタダイオード１５のアノードは接地抵抗１８を介して接地される。
なお、以上に説明した直流カットコンデンサ４、５、７、１３、１７は、テレビジョン信号の周波数においては極めて低いインピーダンスをを有している。
【００１９】
そして、第一のスイッチダイオード６のカソードが給電抵抗８を介して第一の端子２１に接続されると共に、第二のスイッチダイオード１６のカソードも給電抵抗１９を介して第一の端子２１に接続される。また、第二のハイバンドコイル２ｄの他端が給電抵抗９を介して第二の端子２２に接続される。さらに、第一のバラクタダイオード３のカソードが給電抵抗１０を介して第三の端子２３に接続されると共に、第二のバラクタダイオード１５のカソードも給電抵抗２０を介して第三の端子２３に接続される。
【００２０】
そして、直列同調回路１１の他端（即ち、第二のバラクタダイオード１５のカソード）１１ｂが信号入力端となり、ここにテレビジョン信号が入力され、並列同調回路１の出力端１ｂ（即ち、第一のハイバンドコイル２ａの他端）が信号出力端となる。
【００２１】
以上の構成において、ローバンドのテレビジョン信号を受信する場合は、第一の端子２１にハイレベルの電圧（例えば５ボルト）を印加し、第二の端子２２にローレベルの電圧（例えば、０ボルト）を印加する。すると、第一のスイッチダイオード６及び第二のスイッチダイオード１６は共にオフ状態となる。その結果、図１の入力同調回路は図２に示すような等価回路で表され、並列同調回路１は、互いに直列に接続された第一のハイバンドコイル２ａ、第一のローバンドコイル２ｂ、第二のローバンドコイル２ｃ、第二のハイバンドコイル２ｄの全体に対して第一のバラクタダイオード３が並列に接続されて構成される。また、直列同調回路１１は互いに直列に接続された第一のコイル１２、第二のコイル１４、第二のバラクタダイオード１５によって構成される。そして、第一のコイル１２の一端が第一のローバンドコイル２ｂと第二のローバンドコイル２ｃの各一端に接続される。
【００２２】
そして、第三の端子２３に同調電圧を印加すれば、第一のバラクタダイオード３の容量と第二のバラクタダイオード１５の容量とは互いに等しくなるので、直列同調回路１１の同調周波数を並列同調回路１の同調周波数と等しくして、ローバンドのテレビジョン信号の周波数に合わせることが出来る。
【００２３】
一方、ハイバンドのテレビジョン信号を受信する場合は、第一の端子２１にローレベルの電圧（例えば０ボルト）を印加し、第二の端子２２にハイレベルの電圧（例えば、５ボルト）を印加する。すると、第一のスイッチダイオード６及び第二のスイッチダイオード１６は共にオン状態となる。その結果、第一のコイル１２の他端と第一のローバンドコイル２ｂの他端と第二のローバンドコイル２ｃの他端とが互いに短絡される。そして、図１の入力同調回路は図３に示すような等価回路で表され、並列同調回路１は、互いに直列に接続された第一のハイバンドコイル２ａ及び第二のハイバンドコイル２ｄの全体に対して第一のバラクタダイオード３が並列に接続されて構成される。また、直列同調回路１１は互いに直列に接続された第二のコイル１４及び第二のバラクタダイオード１５によって構成される。そして、第二のコイル１４が第一のハイバンドコイル２ａと第二のハイバンドコイル２ｃに接続される。
【００２４】
そして、第三の端子２３に同調電圧を印加すれば、第一のバラクタダイオード３の容量と第二のバラクタダイオード１５の容量とは互いに等しくなるので、直列同調回路１１の同調周波数を並列同調回路１の同調周波数と等しくして、ハイバンドのテレビジョン信号の周波数に合わせることが出来る。
【００２５】
そして、本発明では、直列同調回路１１と並列同調回路１とを合わせ持つので、並列同調回路１の選択度特性に直列同調回路１１の選択度特性が加算されて急峻な選択度特性が得られる。
【００２６】
【発明の効果】
以上のように、本発明のテレビジョンチューナの入力同調回路は、ローバンド又はハイバンドに同調するように切り替えられる並列同調回路と及び直列同調回路を備え、直列同調回路の一端を並列同調回路の入力端に接続し、直列同調回路の他端を信号入力端とすると共に並列同調回路の出力端を信号出力端とし、並列同調回路と直列同調回路とのそれぞれの同調周波数を互いに同じとしたので、それぞれの選択度特性が加算されて全体の選択度特性が急峻となり、受信するテレビジョン信号以外のテレビジョン信号を十分に抑圧することが出来る。
【００２７】
また、並列同調回路は、一端同士が入力端に接続された第一のローバンドコイル及び第二のローバンドコイルと、第一のローバンドコイルに接続された第一のハイバンドコイルと、第二のローバンドコイルに接続された第二のハイバンドコイルと、これらコイルの全体に並列接続された第一のバラクタダイオードとを有し、直列同調回路は、互いに直列接続された第一のコイルと第二のコイルと第二のバラクタダイオードとを有し、第一のバラクタダイオード及び前記第二のバラクタダイオードによって同調周波数を変えるようにし、ハイバンドに同調するように切り替えるときのみ、第一のコイルの他端と第一のローバンドコイルの他端と第二のローバンドコイルの他端とを互いに高周波的に短絡したので、並列同調回路と直列同調回路とを共にローバンド又はハイバンドに同調するように切り替えられる。
【００２８】
また、第一のローバンドコイルの他端と第二のローバンドコイルの他端との間に接続された第一のスイッチダイオードと、第一のコイルの他端と第二のローバンドコイルのとの間に接続された第二のスイッチダイオードとを有し、ローバンドに同調するように切り替えるときは第一のスイッチダイオードと第二のスイッチダイオードとを共にオフ状態とし、ハイバンドに同調するように切り替えるときは第一のスイッチダイオードと第二のスイッチダイオードとを共にオン状態としたので、二つのスイッチダイオードのみで並列同調回路と直列同調回路とをそれぞれローバンド又はハイバンドに同調するように切り替えられる。
【００２９】
また、第一のコイルのインダクタンスを第一のローバンドコイルのインダクタンスと第二のローバンドコイルのインダクタンスとの和にほぼ等しくし、第二のコイルのインダクタンスを第一のハイバンドコイルのインダクタンスと第二のハイバンドコイルのインダクタンスとの和にほぼ等しくし、第一のバラクタダイオードと第二のバラクタダイオードとに同じ同調電圧を印加したので、並列同調回路と直列同調回路との同調周波数を等しくできる。
【図面の簡単な説明】
【図１】本発明の入力同調回路の構成を示す回路図である。
【図２】本発明の入力同調回路をローバンドに同調するように切り替えた場合の等価回路図である。
【図３】本発明の入力同調回路をハイバンドに同調するように切り替えた場合の等価回路図である。
【図４】従来の入力同調回路の構成を示す回路図である
【図５】従来の入力同調回路をローバンドに同調するように切り替えた場合の等価回路図である。
【図６】従来の入力同調回路をローバンドに同調するように切り替えた場合の等価回路図である。
【符号の説明】
１  並列同調回路
１ａ  入力端
１ｂ  出力端
１ｃ  接地端
２  並列同調コイル
２ａ  第一のハイバンドコイル
２ｂ  第一のローバンドコイル
２ｃ  第二のローバンドコイル
２ｄ  第二のハイバンドコイル
３  第一のバラクタダイオード
４、５、７、１３、１７  直流カットコンデンサ
６  第一のスイッチダイオード
８、９、１０、１９、２０  給電抵抗
１１  直列同調回路
１１ａ  一端
１１ｂ  他端
１２  第一のコイル
１４  第二のコイル
１５  第二のバラクタダイオード
１６  第二のスイッチダイオード
１８  接地抵抗
２１  第一の端子
２２  第二の端子
２３  第三の端子
【図１】
0003841602.tif 000002
【図２】
0003841602.tif 000003
【図３】
0003841602.tif 000004
【図４】
0003841602.tif 000005
【図５】
0003841602.tif 000006
【図６】
0003841602.tif 000007